(57)【要約】【課題】メッセージ等をメッセージ記録体に確実に残せ、これを簡単に且つ長期に亙って人形に収納・保管しておけ、メッセージ記録体を紛失する虞れがなく、これを確実に保護でき、良い状態で保管でき、他の人形類等と差別化が図れ、その商品価値も高くなり、構成簡素で、取扱い易く、節句人形に最適なメッセージ伝言装置を提供する。【解決手段】三月人形や五月人形やその他の人形１に於いて、贈り主から対象者への適宜メッセージを記録したメッセージ記録体１０を、人形１の一部に取出し可能に収納して保管できるように構成した節句人形用メッセージ伝言装置であって、人形１の一部に凹部２を形成し、この凹部２に略筒状の収納筒体３を収納固定し、この収納筒体３の先端がわ開口部を閉鎖自在な栓体４を形成し、収納筒体３の収納空間に、適宜メッセージ記録体１０を収納できるよう構成する。【選択図】図２
0003140671.tif 000002
【実用新案登録請求の範囲】
【請求項１】
三月人形や五月人形やその他の人形に於いて、贈り主から対象者への適宜メッセージを記録したメッセージ記録体を、人形の一部に取出し可能に収納して保管できるように構成した節句人形用メッセージ伝言装置であって、人形の一部に凹部を形成し、この凹部に略筒状の収納筒体を収納固定し、この収納筒体の先端がわ開口部を閉鎖自在な栓体を形成し、収納筒体の収納空間に、適宜メッセージ記録体を収納できるように構成したことを特徴とする節句人形用メッセージ伝言装置。
【請求項２】
前記収納筒体は、略円筒状に形成し、前記栓体は、収納筒体内に嵌入される基部と、収納筒体外に露出する頭部とからなり、頭部の外側周面には爪掛け溝を形成し、前記凹部の開口部分を人形の底面部分に形成すると共に、凹部の開口周辺部分には、栓体の頭部が収まるような窪み部を形成し、前記メッセージ記録体は、適宜メッセージを書き記せる表示部を備えた巻物風のメッセージカードで構成したことを特徴とする請求項１記載の節句人形用メッセージ伝言装置。
【請求項３】
前記メッセージ記録体は、映像や音声等を記録できる小型の記録担体で構成したことを特徴とする請求項１記載の節句人形用メッセージ伝言装置。
【考案の詳細な説明】
【技術分野】
【０００１】
本考案は、例えば、初節句の時に贈られる人形（三月節句人形、五月節句人形、その他の人形等）に、両親や祖父母等（贈り主）から子供（対象者）へのメッセージ等を残せるようにすると共に、このメッセージ等を人形に簡単に且つ長期に亙って収納・保管しておけるように工夫した節句人形用メッセージ伝言装置に関するものである。
【背景技術】
【０００２】
従来、子供が誕生して節句を初めて迎える場合等にあっては、子供の成長と幸福を祈ると共に、子供の身代わりとなって厄を受けるという意味等から、両親や祖父母等から子供に人形類（三月節句人形、五月節句人形等）を贈ることが習慣となっている。
しかも、これらの人形類は、所定の期間飾られ、その期間以外は、収納箱等に収納して保管されることが多い。
また、前述の如き人形類にあっては、例えば、人形の顔や、人形の着物の柄等の違いによって、贈り主等を記憶するようになるが、誕生して間もない子供自身は、そのことを認識する術がなく、しかも、子供が成長したときに両親等の記憶違いや、勘違い等によって、正確な情報が伝えられない虞れ等があった。
更に、両親や祖父母等が人形類を贈る際、子供のために記念となるようなメッセージを残したいと思っても、これを実現するのに最適なものが無かった。
そこで、本願考案者は、前述の如き難点等を解消できるようにすべく特許文献１に示すような慶事物品等のメモリアルプレート装置を考案し、更に、特許文献２に示すような節句人形用メモリアル表示装置を考案することとなった。
【０００３】
【特許文献１】実用新案登録第３１１３６３７号公報
【特許文献２】実用新案登録第３１２９３８６号公報
【考案の開示】
【考案が解決しようとする課題】
【０００４】
しかしながら、本願考案者は、前述のメモリアルプレート装置や節句人形用メモリアル表示装置に満足することなく、比較的簡単な構成で、取扱い易く、より長いメッセージを残せ、しかも、損傷することなく、その長期保管が可能となるような節句人形用メッセージ伝言装置を提供できるようにすべく、その研究・開発を継続していたものである。
【課題を解決するための手段】
【０００５】
しかして、前述の如き課題を達成すべく、請求項１記載の節句人形用メッセージ伝言装置にあっては、三月人形や五月人形やその他の人形１に於いて、贈り主から対象者への適宜メッセージを記録したメッセージ記録体１０を、人形１の一部に取出し可能に収納して保管できるように構成した節句人形用メッセージ伝言装置であって、人形１の一部に凹部２を形成し、この凹部２に略筒状の収納筒体３を収納固定し、この収納筒体３の先端がわ開口部を閉鎖自在な栓体４を形成し、収納筒体３の収納空間に、適宜メッセージ記録体１０を収納できるように構成する手段を採用した。
【０００６】
また、請求項２記載の節句人形用メッセージ伝言装置にあっては、前記収納筒体３は、略円筒状に形成し、前記栓体４は、収納筒体３内に嵌入される基部５と、収納筒体３外に露出する頭部６とからなり、頭部６の外側周面には爪掛け溝７を形成し、前記凹部２の開口部分を人形１の底面部分に形成すると共に、凹部２の開口周辺部分には、栓体４の頭部６が収まるような窪み部２ａを形成し、前記メッセージ記録体１０は、適宜メッセージを書き記せる表示部１１を備えた巻物風のメッセージカードで構成する手段を採用した。
【０００７】
更に、請求項３記載の節句人形用メッセージ伝言装置にあっては、前記メッセージ記録体１０は、映像や音声等を記録できる小型の記録担体で構成する手段を採用した。
【考案の効果】
【０００８】
従って、請求項１記載の節句人形用メッセージ伝言装置によれば、初節句の時に贈られる人形１（三月節句人形、五月節句人形、その他の人形等）に、両親や祖父母等（贈り主）からの子供（対象者）へのメッセージ等をメッセージ記録体１０に確実に残せるようになると共に、メッセージ記録体１０に残したメッセージ等を簡単に且つ長期に亙って人形１に収納・保管しておけるようになる。すなわち、メッセージ記録体１０を紛失する虞れがないものとなると共に、メッセージ記録体１０を確実に保護でき、比較的良い状態で保管できるようになる。
しかも、装置自体の構成が比較的簡素となり、取扱い易く、節句人形に最適なメッセージ伝言装置となる。
【０００９】
加えて、子供自身が成長した後に於いて、メッセージ記録体１０から適宜メッセージを正確に且つ確実に認識することができるようになる。
【００１０】
更に、メッセージ伝言装置自体を三月人形や五月人形等の人形に設けたことによって、他の人形類等と差別化が図れるようになり、その商品価値も高くなる。
【００１１】
また、請求項２記載の節句人形用メッセージ伝言装置によれば、前記収納筒体３は、略円筒状に形成し、前記栓体４は、収納筒体３内に嵌入される基部５と、収納筒体３外に露出する頭部６とからなるので、装置自体を簡素に構成でき、取扱い易く、節句人形により最適なメッセージ伝言装置となる。
【００１２】
更に、頭部６の外側周面には爪掛け溝７を形成したので、爪掛け溝７に爪を係止させ易く、栓体４を取外し易いものとなる。
【００１３】
しかも、前記凹部２の開口部分を人形１の底面部分に形成すると共に、凹部２の開口周辺部分には、栓体４の頭部６が収まるような窪み部２ａを形成したので、栓体４を目立たなくすることができると共に、栓体４を取外し易いものとなる。
【００１４】
そして、前記メッセージ記録体１０は、適宜メッセージを書き記せる表示部１１を備えた巻物風のメッセージカードで構成したので、より長いメッセージを残せるようになる。
【００１５】
更に、請求項３記載の節句人形用メッセージ伝言装置によれば、メッセージ記録体１０に映像や音声等を記録できるようになり、より興趣に富むものとなる。
【考案を実施するための最良の形態】
【００１６】
以下、本考案を図示例に基づいて説明すると、次の通りである。
本考案の節句人形用メッセージ伝言装置は、例えば、初節句の時に贈られる三月節句人形や五月節句人形等に、両親や祖父母等の贈り主から子供（対象者）へのメッセージを残したメッセージ記録体１０を収納・保管できるように構成されたものである。
具体的には、人形１の一部に凹部２を形成し、この凹部２に略筒状の収納筒体３を収納固定し、この収納筒体３の先端がわ開口部を閉鎖自在な栓体４を形成し、収納筒体３の収納空間に、適宜メッセージ記録体１０を収納できるように構成したものである。
【００１７】
また、収納筒体３は、略円筒状に形成し、栓体４は、収納筒体３内に嵌入される基部５と、収納筒体３外に露出する頭部６とで形成し、頭部６の外側周面には爪掛け溝７を形成してある。
しかも、前記凹部２の開口部分を人形１の底面部分に形成すると共に、凹部２の開口周辺部分には、栓体４の頭部６が収まるような窪み部２ａを形成する。
そして、メッセージ記録体１０は、適宜メッセージを書き記せる表示部１１を備えた巻物風のメッセージカードで構成する。
【００１８】
更に、メッセージ記録体１０は、映像や音声等を記録できる小型の記録担体で構成することもできる。
【実施例】
【００１９】
前記人形１は、例えば、三月節句人形や五月節句人形の他に、木目込み人形や、鎧飾りや、兜飾りや、わらべ人形や、御所人形や、市松人形や、その他の人形等も含むものである。
【００２０】
前記凹部２は、例えば、人形１の底面部分が開口部となるような略円柱穴状に形成されている。しかも、凹部２の開口周辺部分には、栓体４の頭部６が収まるような略テーパー状の窪み部２ａが形成されている。この窪み部２ａは、栓体４の頭部６が人形１底面より下方に突出しないようにすると共に、頭部６の外側周面を手指（爪）で摘めるように設けられたものである。
【００２１】
前記収納筒体３は、例えば、略円筒状に形成されており、凹部２に収納固定できるように形成されている。しかも、収納筒体３を吸湿性の優れた木製材によって形成してある場合は、収納されるメッセージ記録体１０をより良い状態で保管できるようになる。
【００２２】
前記栓体４は、例えば、収納筒体３内に嵌入される略短円柱状の基部５と、この基部５の先端部分に一体的に連設されると共に基部５より僅かに大径で、収納筒体３外に露出する略偏平円柱状の頭部６とからなる。しかも、栓体４を吸湿性の優れた木製材によって形成してある場合は、収納されるメッセージ記録体１０をより良い状態で保管できるようになる。
【００２３】
そして、頭部６の外側周面には、例えば、爪掛け溝７が凹設されており、この爪掛け溝７に爪を係止し易くして、栓体４を取外し易く形成してある。
【００２４】
前記メッセージ記録体１０は、例えば、適宜メッセージを書き記せる表示部１１を表面がわに接着したような巻物風のメッセージカードで構成されている。すなわち、巻物のように巻いた状態で人形１の収納空間に収納・保管されるようになる。
また、前記メッセージ記録体１０は、映像や音声等を記録できる小型の記録担体（例えば、半導体メモリーや、光学記録式ディスクや、磁気記録式テープ類や、その他）で構成しても良く、その場合は、人形１の収納空間は、メッセージ記録体１０の形状、寸法に合せて形成される。
【００２５】
ところで、メッセージ伝言装置の具体的構成、形状、寸法、材質、配設位置、人形１の具体的構成、形状、寸法、材質、凹部２の具体的構成、形状、寸法、配設位置、数、窪み部２ａの具体的構成、形状、寸法、収納筒体３の具体的構成、形状、寸法、材質、配設位置、栓体４の具体的構成、形状、寸法、材質、基部５の具体的構成、形状、寸法、材質、頭部６の具体的構成、形状、寸法、材質、爪掛け溝７の具体的構成、形状、寸法、配設位置、数、メッセージ記録体１０の具体的構成、形状、寸法、材質、数、表示部１１の具体的構成、形状、寸法、材質等は図示例のもの等に限定されることなく適宜自由に設定、変更できるものである。
【図面の簡単な説明】
【００２６】
【図１】本考案の節句人形用メッセージ伝言装置を例示する分解斜視図である。
【図２】本考案の他の節句人形用メッセージ伝言装置を例示する一部切欠正面図である。
【符号の説明】
【００２７】
１      人形
２      凹部
２ａ    窪み部
３      収納筒体
４      栓体
５      基部
６      頭部
７      爪掛け溝  
１０    メッセージ記録体
１１    表示部
【図１】
0003140671.tif 000003
【図２】
0003140671.tif 000004